(57)【要約】【課題】  有孔加工が容易で表裏左右どこから見ても美しく見える中空の立体構造のルーバーを安価に提供する。【解決手段】一方向に長く延びる第１の板材と該第１の板材と同長の第２の板材とから成り、該第１と第２の板材を重ね合わせると、中空部を有する立体形状を形成するルーバー材が形成される。第１と第２の板材のそれぞれに、該第１と第２の板材を重ね合わせると、中空部内で互いに当接する当接部を設け、該当接部を固定するための固定部を中空部内に設ける。第１と第２の板材の中、一方の板材を、建造物の下地材に固定したストリンガーに固定し、他方の板材を一方の板材に固定する。【選択図】  図１
2019019463.tif 000002
【特許請求の範囲】
【請求項１】
第１の板材（４）（３２）と該第１の板材（４）（３２）と同長の第２の板材（６）（３４）とから成り、該第１と第２の板材（４）（３２）（６）（３４）を重ね合わせて、中空部（８）（３６）を有する立体形状を形成するようにしたルーバー材（２）（３０）であって、重ね合わせた前記第１と第２の板材（４）（３２）（６）（３４）のそれぞれに、前記中空部（８）（３６）内で互いに当接する当接部を設け、該当接部を固定するための固定部を前記中空部（８）（３６）内に設けたことを特徴とする建築用ルーバー材。
【請求項２】
前記第１と第２の板材（４）（６）のそれぞれに平板部（４ａ）（６ａ）と該平板部（４ａ）（６ａ）に対して直角方向に屈折する側板部（４ｂ）（４ｃ）（６ｂ）（６ｃ）を形成し、第１と第２の板材（４）（６）に各板材（４）（６）の側板部（４ｂ）（４ｃ）（６ｂ）（６ｃ）に対して直角で内側に屈折する内方折り返し部（４ｄ）（４ｅ）（６ｄ）（６ｅ）を設け、前記第１と第２の板材（４）（６）に前記内方折り返し部（４ｄ）（４ｅ）（６ｄ）（６ｅ）に対して直角に屈折する屈折部（４ｆ）（４ｇ）（６ｆ）（６ｇ）を設け、互いに当接する前記内方折り返し部（４ｄ）（６ｄ）（４ｅ）（６ｅ）を前記当接部とし、互いに当接する前記屈折部（４ｆ）（６ｆ）（４ｇ）（６ｇ）を前記固定部としたことを特徴とする請求項１に記載の建築用ルーバー材。
【請求項３】
前記第１の板材（３２）に、その側板部（３２ｃ）に対して直角で内側に屈折する内方折り返し部（３２ｅ）と、該内方折り返し部（３２ｅ）に対して直角で内側に屈折する第１の屈折部（３２ｆ）を設け、前記第２の板材（３４）に、その側板部（３４ｂ）に対して直角で内側に屈折する内方折り返し部（３４ｄ）と、該内方折り返し部（３４ｄ）に対して直角で内側に屈折する第２の屈折部（３４ｅ）を設け、前記第１の板材（３２）の側板部（３２ｂ）とこれに当接する前記第２の板材（３４）の前記第２の屈折部（３４ｅ）及び前記第２の板材（３４）の側板部（３４ｃ）とこれに当接する前記第１の板材（３２）の第１の屈折部（３２ｆ）とをそれぞれ前記当接部と固定部としたことを特徴とする請求項１に記載の建築用ルーバー材。
【請求項４】
前記固定部と対向する板材（６）（３２）（３４）に、該固定部の固定に使用するねじを外部から操作するための穴（１０）（４２）を設けたことを特徴とする請求項１に記載の建築用ルーバー材。
【請求項５】
第１の板材（４）（３２）と該第１の板材（４）（３２）と同長の第２の板材（６）（３４）とから成り、該第１と第２の板材（４）（３２）（６）（３４）を重ね合わせて、中空部（８）（３６）を有する立体形状を形成するようにしたルーバー材（２）（３０）であって、重ね合わせた前記第１と第２の板材（４）（３２）（６）（３４）のそれぞれに、前記中空部（８）（３６）内で互いに当接する当接部を設け、該当接部を固定するための固定部を前記中空部（８）（３６）内に設け、前記第１と第２の板材（４）（６）（３２）（３４）の中、一方の板材（４）（３４）を、建造物の下地材（１２）（１４）に固定したストリンガー（１６）（１８）（３８）（４０）に固定し、他方の板材（６）（３２）を一方の板材（４）（３４）に固定したことを特徴とする建築用ルーバー。
【発明の詳細な説明】
【技術分野】
【０００１】
本発明は、外壁や内壁、天井等に取り付けられる建築用ルーバー材及び該ルーバー材を用いた建築用ルーバーに関する。
【背景技術】
【０００２】
従来、建築用ルーバーは、室内の採光、通風、雨よけ、あるいは目隠しや、遮光性、遮蔽性、デザイン性などを高めるために建造物に取り付けられる。中空の立体構造を有するルーバーは、一般的にアルミなどの押し型成型によって作られている。
【先行技術文献】
【特許文献】
【０００３】
【特許文献１】特開２００１−２４８２５３号公報
【発明の概要】
【発明が解決しようとする課題】
【０００４】
中空の立体構造のルーバー材をアルミなどの押し型成型によって製造すると、製造コストが高価となってしまう。
また、此種のルーバー材の固定方法は、鉄骨下地にストリンガー（取付治具）を取り付けるのが一般的である。
この場合、外部景観を重視し、裏面・室内からの見え方を考慮していないために、ルーバー材の裏面には、ストリンガーに挟み込むための隙間が見えてしまい、ルーバー材の外観のデザイン性が損なわれるという問題点がある。
本発明は、上記問題点を解決することを目的とするものである。
【課題を解決するための手段】
【０００５】
上記目的を達成するため本発明は、第１の板材（４）（３２）と該第１の板材（４）（３２）と同長の第２の板材（６）（３４）とから成り、該第１と第２の板材（４）（３２）（６）（３４）を重ね合わせて、中空部（８）（３６）を有する立体形状を形成するようにしたルーバー材（２）（３０）であって、重ね合わせた前記第１と第２の板材（４）（３２）（６）（３４）のそれぞれに、前記中空部（８）（３６）内で互いに当接する当接部を設け、該当接部を固定するための固定部を前記中空部（８）（３６）内に設けたことを特徴とする。
また本発明は、前記第１と第２の板材（４）（６）のそれぞれに平板部（４ａ）（６ａ）と該平板部（４ａ）（６ａ）に対して直角方向に屈折する側板部（４ｂ）（４ｃ）（６ｂ）（６ｃ）を形成し、第１と第２の板材（４）（６）に各板材（４）（６）の側板部（４ｂ）（４ｃ）（６ｂ）（６ｃ）に対して直角で内側に屈折する内方折り返し部（４ｄ）（４ｅ）（６ｄ）（６ｅ）を設け、前記第１と第２の板材（４）（６）に前記内方折り返し部（４ｄ）（４ｅ）（６ｄ）（６ｅ）に対して直角に屈折する屈折部（４ｆ）（４ｇ）（６ｆ）（６ｇ）を設け、互いに当接する前記内方折り返し部（４ｄ）（６ｄ）（４ｅ）（６ｅ）を前記当接部とし、互いに当接する前記屈折部（４ｆ）（６ｆ）（４ｇ）（６ｇ）を前記固定部としたことを特徴とする。
また本発明は、前記第１の板材（３２）に、その側板部（３２ｃ）に対して直角で内側に屈折する内方折り返し部（３２ｅ）と、該内方折り返し部（３２ｅ）に対して直角で内側に屈折する第１の屈折部（３２ｆ）を設け、前記第２の板材（３４）に、その側板部（３４ｂ）に対して直角で内側に屈折する内方折り返し部（３４ｄ）と、該内方折り返し部（３４ｄ）に対して直角で内側に屈折する第２の屈折部（３４ｅ）を設け、前記第１の板材（３２）の側板部（３２ｂ）とこれに当接する前記第２の板材（３４）の前記第２の屈折部（３４ｅ）及び前記第２の板材（３４）の側板部（３４ｃ）とこれに当接する前記第１の板材（３２）の第１の屈折部（３２ｆ）とをそれぞれ前記当接部と固定部としたことを特徴とする。
また本発明は、前記固定部と対向する板材（６）（３２）（３４）に、該固定部の固定に使用するねじを外部から操作するための穴（１０）（４２）を設けたことを特徴とする。
また本発明は、第１の板材（４）（３２）と該第１の板材（４）（３２）と同長の第２の板材（６）（３４）とから成り、該第１と第２の板材（４）（３２）（６）（３４）を重ね合わせて、中空部（８）（３６）を有する立体形状を形成するようにしたルーバー材（２）（３０）であって、重ね合わせた前記第１と第２の板材（４）（３２）（６）（３４）のそれぞれに、前記中空部（８）（３６）内で互いに当接する当接部を設け、該当接部を固定するための固定部を前記中空部（８）（３６）内に設け、前記第１と第２の板材（４）（６）（３２）（３４）の中、一方の板材（４）（３４）を、建造物の下地材（１２）（１４）に固定したストリンガー（１６）（１８）（３８）（４０）に固定し、他方の板材（６）（３２）を一方の板材（４）（３４）に固定したことを特徴とするものである。
【発明の効果】
【０００６】
本発明は、板材を折り曲げ加工することで自由自在な加工に対応でき、安価にルーバーを作成することができる。また、ハゼ組による構造のため、表裏左右どこから見ても美しく見える。また、アルミなどの押し型成型による一般的ルーバーでは、有孔加工を自由自在にできないが、本発明は有孔加工が容易である。
【図面の簡単な説明】
【０００７】
【図１】ルーバー材のＢ−Ｂ横断面図である。
【図２】ストリンガーにルーバー材を取り付けた状態のＡ−Ａ横断面図である。
【図３】本発明の縦断面正面説明図である。
【図４】本発明の縦断面側面説明図である。
【図５】ルーバー材の正面図である。
【図６】ルーバー材の他の実施形態を示す横断面図である。
【図７】ストリンガーにルーバー材を取り付けた状態の他の実施形態を示すＣ−Ｃ横断面図である。
【図８】本発明の他の実施形態を示す縦断面正面説明図である。
【図９】本発明の他の実施形態を示す縦断面側面説明図である。
【発明を実施するための形態】
【０００８】
以下に本発明の構成を添付した図面を参照して詳細に説明する。
図１は、建造物の天井、外壁、外階段外周、屋上塔屋、及び空調設備周り等に、室内の採光、通風、雨よけ、さらには目隠しや、遮光性、遮蔽性、デザイン性を高めるために取り付けられるルーバー材を示している。ルーバー材２は、長尺状の一対の金属、プラスチックなどの曲げ加工が可能な板材４，６から構成され、各板材４，６は、折り曲げ加工により、所定の形状に加工され、各板材４，６は、互いにハゼ組みにより結合したとき、中空部８を有する所定の立体断面形状を構成するように加工されている。
【０００９】
ハゼ組み部は、本実施形態では、一方の板材４の平板部４ａの幅方向の両端に該幅方向に対して直角な方向、即ちルーバー材２の厚み方向に側板部４ｂ，４ｃと、これに対して直角な折り返し部４ｄ，４ｅと、側板部４ｂ，４ｃに対して水平な屈折部４ｆ，４ｇが形成され、他方の板材６の平板部６ａの幅方向の両端に、該幅方向に対して直角な側板部６ｂ，６ｃとこれに対して直角な折り返し部６ｄ，６ｅと、側板部６ｂ，６ｃに対して水平な屈折部６ｆ，６ｇが形成されている。
【００１０】
一対の板材４，６を重ね合わせると、一方の板材４の側板部４ｂ，４ｃと他方の板材６の側板部６ｂ，６ｃは同一平面上で当接し、一方の板材４の折り返し部４ｄ，４ｅと他方の板材６の折り返し部６ｄ，６ｅは互いに合接し、且つ、一方の板材４の屈折部４ｆ，４ｇと他方の板材６の屈折部６ｆ，６ｇは互いに合接するように構成されている。各板材４，６の平板部４ａ，６ａには、図５に示すように孔９がパンチングされ、ルーバー材２の表裏面側に有孔スクリーンを形成している。前記板材６の側板部６ｂ，６ｃには、ビス操作用の穴１０が穿設されている。
【００１１】
次に、上記ルーバー材２の取り付け方法について説明する。
まず、建造物の下地材１２，１４に、ルーバー材取付治具であるストリンガー１６，１８をルーバー２の長さに応じて図３に示すように、ボルトとナットから成る固定具１５で固定する。ストリンガー１６，１８は、下地材１２，１４に固定するための平板部１６ａ，１８ａと、平板部１６ａ，１８ａの両端に位置するルーバー取付用の側板部１６ｂ，１６ｃ，１８ｂ，１８ｃと、側板部１６ｂ，１６ｃと側板部１８ｂ，１８ｃ間に形成された補強板部２０とを備えている。
【００１２】
次に、ルーバー２の一方の板材４を、上下のストリンガー１６，１８間に配置し、板材４の屈折部４ｆ，４ｇの上下を図２に示すように対応するストリンガーの側板部１６ｂ，１６ｃ，１８ｂ，１８ｃにボルト２２とナット２４とで固定する。
次に、他方の板材６を図１に示すように一方の板材４に合わせ、他方の板材に形成された穴１０から、ドリルビス２６を差し込み、一方の板材４の屈折部４ｆ，４ｇと、これに合接する他方の板材６の屈折部６ｆ，６ｇとをドリルビス２６で互いに固定する。
上記した実施形態において、表面側と裏面側の板材４，６の合わせ目即ち目地２８は、ルーバー材２の左右の側面に現れ、表面側と裏面側には現れない。
【００１３】
次に、図６〜９を参照して、目地２８が、ルーバー材３０の表面側と裏面側に現れる実施形態について説明する。
図６に示すように、ルーバー材３０は、長尺状の一対の金属、プラスチックなどの板材３２，３４から構成され、各板材３２，３４は、折り曲げ加工により、所定の形状に加工されている。各板材３２，３４は、互いにハゼ組みにより結合したとき、中空部３６を有する所定の断面形状を構成するように加工されている。
【００１４】
一方の板材３２の平板部３２ａの幅方向の両端に該幅方向に対して直角な方向、即ちルーバーの厚み方向に側板部３２ｂ，３２ｃが形成され、一方の側板部３２ｂには、これに対して直角な外方折り返し部３２ｄが形成され、他方の側板部３２ｃには、これに対して直角な内方折り返し部３２ｅとこれに対して直角な屈折部３２ｆが形成されている。
【００１５】
他方の板材３４の幅方向の平板部３４ａの両端には、該幅方向に対して直角な側板部３４ｂ，３４ｃが形成され、一方の側板部３４ｂの一方には、これに対して直角な内方折り返し部３４ｄと該折り返し部３４ｄに直角な屈折部３４ｅが形成されている。他方の側板部３４ｃには、これに対して直角な外方折り返し部３４ｆが形成されている。
【００１６】
一対の板材３２，３４を重ね合わせると、一方の板材３２の平板部３２ａと、他方の板材３４の内方折り返し部３４ｄは同一平面上で当接し、一方の板材３２の内方折り返し部３２ｅと他方の板材３４の平板部３４ａは、同一平面上で当接し、且つ、一方の板材３２の側板部３２ｂと他方の板材３４の屈折部３４ｅは互いに合接するように構成されている。
【００１７】
また、一方の板材３２の外方折り返し部３２ｄは他方の板材３４の平板部３４ａに当接し、一方の板材３２の屈折部３２ｆは、他方の板材３４の側板部３４ｃに当接し、他方の板材３４の外方折り返し部３４ｆは、一方の板材３２の平板部３２ａに合接するように構成されている。各板材３２，３４には、図５に示すように孔９がパンチングされルーバー材３０の表裏面側に有孔スクリーンを形成している。
【００１８】
次に、上記ルーバー材３０の取付方法について説明する。
まず、建造物の下地材１２，１４にルーバー材取付治具であるストリンガー３８，４０をルーバー材３０の長さに応じて図８に示すように、ボルトとナットから成る固定具１５で固定する。ストリンガー３８，４０は、下地材１２，１４に固定するための平板部３８ａ，４０ａと、平板部３８ａ，４０ａの両端に位置するルーバー取り付け用の側板部３８ｂ，３８ｃ，４０ｂ，４０ｃと側板部３８ｂ，３８ｃ，４０ｂ，４０ｃ間に形成された補強板部４３とを備えている。
【００１９】
次に、ルーバー材３０の他方の板材３４を、上下のストリンガー３８，４０間に配置し、板材３４の側板部３４ｂ，３４ｃを図７に示すように対応するストリンガーの側板部３８ｂ，３８ｃにボルト４６とナット４８とで固定する。
次に、一方の板材３２を図６に示すように他方の板材３４に重ね合わせ、一方の板材３２に形成された穴４２，４２からドリルビス４４を差し込み、一方の板材３２の側板部３２ｂと他方の板材３４の屈折部３４ｅ及び一方の板材３２の屈折部３２ｆと他方の板材３４の側板部３４ｃとをドリルビス４４で互いに固定する。
【００２０】
上記した実施形態において、ルーバー材３０の表面側と裏面側の板材３２，３４の合わせ目即ち目地２８は、ルーバー材の表裏面側に現れ、左右の側面には現れない。
上記実施形態では、各ルーバー材２，３０を垂直状態で左右に並列配置したが、水平状態で上下に並列配置した構成としても良い。また、ルーバー材２，３０の中空部の形状は、図示する矩形に限定されるものではなく、種々の形状とすることが可能である。
【符号の説明】
【００２１】
２      ルーバー材
４      板材
４ａ    平板部
４ｂ    側板部
４ｃ    側板部
４ｄ    折り返し部
４ｅ    折り返し部
４ｆ    屈折部
４ｇ    屈折部
６      板材
６ａ    平板部
６ｂ    側板部
６ｃ    側板部
６ｄ    折り返し部
６ｅ    折り返し部
６ｆ    屈折部
６ｇ    屈折部
８      中空部
９      孔
１０    穴
１２    下地材
１４    下地材
１５    固定具
１６    ストリンガー
１６ａ  平板部
１６ｂ  側板部
１６ｃ  側板部
１８    ストリンガー
１８ａ  平板部
１８ｂ  側板部
１８ｃ  側板部
２０    補強部
２２    ボルト
２４    ナット
２６    ドリルビス
２８    目地
３０    ルーバー材
３２    板材
３２ａ  平板部
３２ｂ  側板部
３２ｃ  側板部
３２ｄ  外方折り返し部
３２ｅ  内方折り返し部
３２ｆ  屈折部
３４    板材
３４ａ  平板部
３４ｂ  側板部
３４ｃ  側板部
３４ｄ  内方折り返し部
３４ｅ  屈折部
３４ｆ  外方折り返し部
３６    中空部
３８    ストリンガー
３８ａ  平板部
３８ｂ  側板部
３８ｃ  側板部
４０    ストリンガー
４０ａ  平板部
４０ｂ  側板部
４０ｃ  側板部
４２    穴
４４    ドリルビス
４６    ボルト
４８    ナツト
【図１】
2019019463.tif 000003
【図２】
2019019463.tif 000004
【図３】
2019019463.tif 000005
【図４】
2019019463.tif 000006
【図５】
2019019463.tif 000007
【図６】
2019019463.tif 000008
【図７】
2019019463.tif 000009
【図８】
2019019463.tif 000010
【図９】
2019019463.tif 000011